(57)【要約】      （修正有）【課題】電子機器や自動販売機等の筐体等に対する震動を減震して倒壊を防止し、被害を低減することができる免震用支持装置を提供する。【解決手段】筐体、商品陳列用置棚又は躯体の下面に下向受皿部材を固定し、床面又は建築用基礎に支持台を固定し、該支持台に取付けた先端部材を下向受皿部材の凹面部に可動的に単数又は複数当接させる免振装置において、弾性ゴムを介して該支持台に取付けることおよび首振り構造部を介して支持したことおよびキャスターを取付け、キャスターにより支持したことおよび下向受皿部材の凹面部の周縁の曲率を内側より小さくしてストッパー部を形成したことによって、反復作用時の強力な減震力と共震現象をなくす作用を起こすことを特徴とした免震用支持装置を提供するものである。【選択図】図２
2010002047.tif 000002
【特許請求の範囲】
【請求項１】
筐体、商品陳列用置棚又は躯体の下面に下向受皿部材を固定し、床面又は建築用基礎に支持台を固定し、弾性ゴムを介して該支持台に取付けた先端部材を下向受皿部材の凹面部に可動的に単数又は複数当接させた構成からなることを特徴とする免震用支持装置。
【請求項２】
筐体、商品陳列用置棚又は躯体の下面に下向受皿部材を固定し、床面又は建築用基礎に支持台を固定し、首振り構造部を介して該支持台に取付けた先端部材を下向受皿部材の凹面部に可動的に単数又は複数当接させた構成からなることを特徴とする免震用支持装置。
【請求項３】
筐体、商品陳列用置棚又は躯体の下面に下向受皿部材を固定し、床面又は建築用基礎に支持台を固定し、キャスターを取付け、キャスターの車輪を下向受皿部材の凹面部に可動的に単数又は複数当接させた構成からなることを特徴とする免震用支持装置。
【請求項４】
下向受皿部材の凹面部の周縁の曲率を内側より小さくしてストッパー部を形成したことを特徴とする請求項１乃至３に記載した免震用支持装置。
【請求項５】
躯体の下面に下向受皿部材を固定し、土中の拡張基礎部と一体的に形成された建築基礎部との間にストッパー部が設けられ、該ストッパー部がフランジに設けられた枢軸及びリンクを介して可動的に設けられていることを特徴とする免震用支持装置。
【請求項６】
筐体又は商品陳列用置棚の下面に固定した脚体の下端に弾性ゴム材を介して先端部材を取付け、曲面に形成された先端部材が、床面に固定された上向受皿部材の凹面部に可動的に当接されていることを特徴とする免震用支持装置。
【請求項７】
筐体又は商品陳列用置棚の下面に固定した脚体の下端に首振り構造部を介して先端部材を取付け、曲面に形成された先端部材が、床面に固定された上向受皿部材の凹面部に可動的に当接されていることを特徴とする免震用支持装置。
【請求項８】
筐体又は商品陳列用置棚の下面に固定した脚体の下端にキャスターを取付け、キャスターの車輪が、床面に固定された上向受皿部材の凹面部に可動的に当接されていることを特徴とする免震用支持装置。
【請求項９】
上向受皿部材の凹面部の周縁の曲度を内側より大きくしてストッパー部を形成したことを特徴とする請求項６乃至８に記載した免震用支持装置。
【請求項１０】
揺動ＯＡ用フロアの下面に下向受皿部材を固定し、コンクリート床部に支持台を固定し、弾性ゴムを介して該支持台に取付けた先端部材又は支持台に首振り構造部を介して取付けた先端部材を下向受皿部材の凹面部に可動的に当接させた構成からなることを特徴とする免震用支持装置。
【請求項１１】
揺動ＯＡ用フロアの交叉部下面に下向受皿部材を固定し、コンクリート床部に支持台を固定し、弾性ゴムを介して該支持台に取付けた先端部材又は支持台に首振り構造部を介して取付けた先端部材を下向受皿部材の凹面部に可動的に当接させた構成からなることを特徴とする免震用支持装置。
【発明の詳細な説明】
【技術分野】
【０００１】  本発明は免震用支持装置に関し、特に地震発生時において、電子機器や自動販売機等の筐体等に対する震動を減震して倒壊を防止し、被害を低減することができる免震用支持装置を提供するものであり、更に建築における躯体に取付けて、建築物に対する震動を減震して倒壊を防止し、被害を低減することができる免震用支持装置を提供するものである。
【背景技術】
【０００２】  従来、種々の免震装置が開発されているが、その殆どが建築物や床上の電子機器に対して、免震効果を有するバネやゴムの反発効果や下端部の滑動方式及び球体の転動方式のものが多く存在する。例えば、特開２００７−２４１２３号や特許第３０５８３６４号等が開発されている。【０００３】
【特許文献１】  特開平２００７−２４１２３号公報
【特許文献２】  特許第３０５８３６４号公報
【０００４】  前記せる特開平２００７−２４１２３号は、免震用基盤上に球体を回転自在にとせる構造であり、また、前記せる特許３０５８３６４号は、電子機器の筐体底部にボルトを螺合させて脚体とし、その先端を曲面とし、凹面上受け皿上で滑動させるものであった。【０００５】  しかしながら、いずれも受け皿が上向きに設置されており、ゴミが入りやすく、ゴミが入ると滑動に支障を来し、上向きの受け皿の面積が狭く、滑動範囲が限られており大きな振幅に対応することができなくなる問題点があった。【０００６】  特開平２００７−２４１２３号では、狭い範囲で球体が転動するものであるから、使用対象が家屋等の建築物のような場合は、増幅される振幅に対応することが難しいものであった。【０００７】  また、前記せる特許３０５８３６４号は、電子機器の筐体底部にボルトを螺合させて脚体としたものであるから、脚体のフレキシビリティが無く、破損し易いものであった。
【発明の開示】
【発明が解決しようとする課題】
【０００８】  本発明の免震用支持装置は、下向受皿部材や上向受皿部材等を用いたものであって、ゴミ等が溜まりにくい場所には上向受皿部材を用いても良く、ゴミ等が溜まりやすい場合には特に下向受皿部材を用いた免震用支持装置を提供し、振動が増幅されても対応可能な免震用支持装置を提供するものである。
【課題を解決するための手段】
【０００９】  筐体、商品陳列用置棚又は躯体の下面に下向受皿部材を固定し、床面又は建築用基礎に支持台を固定し、弾性ゴムを介して該支持台に取付けた先端部材を下向受皿部材の凹面部に可動的に当接させた構成からなることを特徴とし、筐体、商品陳列用置棚又は躯体の下面に下向受皿部材を固定し、床面又は建築用基礎に支持台を固定し、首振り構造部を介して該支持台に取付けた先端部材を下向受皿部材の凹面部に可動的に当接させた構成からなることを特徴とし、筐体、商品陳列用置棚又は躯体の下面に下向受皿部材を固定し、床面又は建築用基礎に支持台を固定してキャスターを取付け、キャスターの車輪を下向受皿部材の凹面部に可動的に当接させた構成からなることを特徴とし、下向受皿部材の凹面部の周縁の曲度を内側より大きくしてストッパー部を形成したことを特徴とした免震用支持装置を提供するものである。【００１０】  建築用の場合、躯体の下面に下向受皿部材を固定し、土中の拡張基礎部と一体的に形成された建築基礎部との間にストッパー部が設けられ、該ストッパー部がフランジに設けられた枢軸を介して可動的に設けられていることを特徴とする免震用支持装置を提供する。【００１１】  更に、筐体又は商品陳列用置棚の下面に固定した脚体の下端に弾性ゴム材を介して先端部材を取付け、曲面に形成された先端部材が、床面に固定された上向受皿部材の凹面部に可動的に当接されていることを特徴とし、筐体又は商品陳列用置棚の下面に固定した脚体の下端に首振り構造部を介して先端部材を取付け、曲面に形成された先端部材が、床面に固定された上向受皿部材の凹面部に可動的に当接されていることを特徴とし、筐体又は商品陳列用置棚の下面に固定した脚体の下端にキャスターを取付け、キャスターの車輪が、床面に固定された上向受皿部材の凹面部に可動的に当接されていることを特徴とし、且つ上向受皿部材の凹面部の周縁の曲度を内側より小さくしてストッパー部を形成したことを特徴とする免震用支持装置を提供するものである。【００１２】  また、揺動ＯＡ用フロアの下面又は揺動ＯＡ用フロアの交叉部下面に下向受皿部材を固定し、コンクリート床部に支持台を固定し、弾性ゴムを介して該支持台に取付けた先端部材又は支持台に首振り構造部を介して取付けた先端部材を下向受皿部材の凹面部に可動的に当接させた構成からなることを特徴とする免震用支持装置。
【発明の効果】
【００１３】  本発明の免震用支持装置は、下向受皿部材や上向受皿部材等を用いたものであって、ゴミ等が溜まりにくい場所には上向受皿部材を用いても良く、ゴミ等が溜まりやすい場合には特に下向受皿部材を用いた免震用支持装置を提供し、振動が増幅されても対応可能な免震用支持装置を提供するものである。【００１４】  各実施例のいずれの場合でも、先端部材又はキャスターの車輪が受け皿部材の凹面部に可動的に当接されているので、全方向の移動によって横方向の震動が吸収され、また実施例１では、介在された弾性ゴム材によって、縦方向の震動も併せて吸収され、震動の終了時には各当接位置が復元されるように構成されているので、電子機器や自動販売機等の筐体の倒壊防止になり、地震発生時における被害を低減することができる。
【発明を実施するための最良の形態】
【００１５】  以下、図面に基づき、本発明の免震用支持装置について具体的に説明する。
図面に於いて、図１は本発明に係る免震用支持装置の設置状態を示す正面図である。図２は図１の使用状態を示す部分断面拡大図である。図３は他の実施例の使用状態を示す部分断面拡大図である。図４は他の実施例の使用状態を示す部分断面拡大図である。図５は躯体に応用した実施例の使用状態を示す部分断面拡大図である。図６は他の実施例の取付対象物を示す斜視図である。図７は他の実施例の取付対象物を示す斜視図である。図８は他の実施例の使用状態を示す部分断面拡大図である。図９は他の実施例の使用状態を示す部分断面拡大図である。図１０は他の実施例の使用状態を示す部分断面拡大図である。
図１１は他の実施例の使用状態を示す部分断面拡大図である。図１２は他の実施例の使用状態を示す部分断面拡大図である。図１３は１枚の揺動ＯＡ用フロアに複数の免震用支持装置を設置した斜視図である。図１４は揺動ＯＡ用フロアの交叉部下面に免震用支持装置を設置した斜視図である。【００１６】  図１乃至図２に示す実施例１では、筐体等１、商品陳列用置棚１４又は躯体１０の下面に下向受皿部材５を固定し、床面６又は建築用基礎９に支持台２を固定し、弾性ゴムを介して該支持台２に取付けた先端部材４が下向受皿部材５の凹面部５１に可動的に当接されている。【００１７】  図２に示す実施例２では、筐体等１、商品陳列用置棚１４又は躯体１０の下面に下向受皿部材５を固定し、床面６又は建築用基礎９に支持台２を固定し、首振り構造部７１を介して該支持台２に取付けた先端部材４が下向受皿部材５の凹面部５１に可動的に当接されている。【００１８】  図４に示す実施例３では、筐体等１、商品陳列用置棚１４又は躯体１０の下面に下向受皿部材５を固定し、床面６又は建築用基礎９に支持台２を固定し、キャスター８を取付けキャスター８の車輪８１が下向受皿部材５の凹面部５１に可動的に当接されている。【００１９】  図１乃至図５では下向受皿部材５、及び他の実施例の図８乃至図１０では上向受皿部材５０の凹面部５１の周縁の曲度を内側より小さくしてストッパー部５２を形成した免震用支持装置を提供している。【００２０】  建築用では、躯体１０の下面に下向受皿部材５を固定し、土中１３の拡張基礎部９１と一体的に形成された建築基礎９との間にストッパー部５２が設けられ、該ストッパー部５２がフランジ５４に設けられた枢軸５３を介して可動的に設けられており、更に下向受皿５のストッパー部でもさらなる減震をはかっている。【００２１】  また、他の実施例４において、筐体等１又は商品陳列用置棚１４の下面に固定した脚部２１の下端に弾性ゴム材３を介して先端部材４を取付け、曲面に形成された先端部材４が床面６に固定された上向受皿部材５０の凹面部５１に可動的に当接されている。【００２２】  また、筐体等１又は商品陳列用置棚１４の下面に固定した脚部２１の下端に首振り構造部７１を介して先端部材４を取付け、曲面に形成された先端部材４が、床面６に固定された上向受皿部材５０の凹面部５１に可動的に当接されている。【００２３】  また、筐体等１又は商品陳列用置棚１４の下面に固定した脚部２１の下端にキャスター８を取付け、キャスター８の車輪８１が、床面６に固定された上向受皿部材５０の凹面部５１に可動的に当接されている。【００２４】  上向受皿部材５０の凹面部５１の周縁の曲度を内側より小さくしてストッパー部５２を形成した前述の免震用支持装置を提供している。【００２５】  また、図１１に示す他の実施例５においては、ＯＡ用フロアに適応した実施例が示されており、揺動ＯＡ用フロア１０１の下面に下向受皿部材５を固定し、コンクリート床部６０に支持台２を固定し、弾性ゴム材３を介して該支持台２に取付けた先端部材４を下向受皿部材５の凹面部５１に可動的に当接させた構成になっている。【００２６】  固定ＯＡフロア１１１は支持材２２によってコンクリート床部６０に固定されてい��が図１１に示すように、揺動ＯＡフロア１０１は固定ＯＡフロア１１１の上面より突出しているので、揺動ＯＡ用フロア１０１は揺動しながら振動を吸収し、揺動ＯＡ用フロア１０１上に載置された電子機器等の倒壊や損壊を防止する効果を有している。【００２７】  また、図１２に示す他の実施例６においてもＯＡ用フロアに適応した実施例が示されており、揺動ＯＡ用フロア１０１の下面に下向受皿部材５を固定し、コンクリート床部６０に支持台２を固定し、首振り構造部７１を介して該支持台２に取付けた先端部材７を下向受皿部材５の凹面部５１に可動的に当接させた構成になっている。【００２８】  固定ＯＡフロア１１１は支持材２２によってコンクリート床部６０に固定されているが図１１乃至図１２に示すように、揺動ＯＡ用フロア１０１は固定ＯＡフロア１１１の上面より突出しているので、揺動ＯＡフロア１０１は揺動しながら振動を吸収し、揺動ＯＡ用フロア１０１上に載置された電子機器等の倒壊や損壊を防止する効果を有している。【００２９】  また、図１３に示す実施例７では、揺動ＯＡ用フロアに複数の免震用支持装置を設置した斜視図であって、１枚の揺動ＯＡ用フロアがシーソー状態にならないように面積の広い揺動ＯＡ用フロアに適応できるものである。【００３０】  また、図１４に示す実施例８では、揺動ＯＡ用フロアの交叉部１０２の下面に免震用支持装置を設置可能にした構造をしめしている。
【図面の簡単な説明】
【００３１】
【図１】  本発明に係る免震用支持装置の設置状態を示す正面図である。
【図２】  図１の使用状態を示す部分断面拡大図である。
【図３】  他の実施例の使用状態を示す部分断面拡大図である。
【図４】  他の実施例の使用状態を示す部分断面拡大図である。
【図５】  躯体に応用した実施例の使用状態を示す部分断面拡大図である。
【図６】  他の実施例の取付対象物を示す斜視図である。
【図７】  他の実施例の取付対象物を示す斜視図である。
【図８】  他の実施例の使用状態を示す部分断面拡大図である。
【図９】  他の実施例の使用状態を示す部分断面拡大図である。
【図１０】  他の実施例の使用状態を示す部分断面拡大図である。
【図１１】  他の実施例の使用状態を示す部分断面拡大図である。
【図１２】  他の実施例の使用状態を示す部分断面拡大図である。
【図１３】  １枚の揺動ＯＡ用フロアに複数の免震用支持装置を設置した斜視図である。
【図１４】  揺動ＯＡ用フロアの交叉部の下面に免震用支持装置を設置した斜視図である。
【符号の説明】
【００３２】１    筐体等
２    支持台
２１  脚部
２２  支持材
３    弾性ゴム材
４    先端部材
５    下向受皿部材
５０  上向受皿部材
５１  凹面部
５２  ストッパー部
５３  枢軸
５４  フランジ
５５  リンク
６    床面
６０  コンクリート床部
７    先端部材
７１  首振り構造部
８    キャスター
８１  車輪
８２  水平回転構造部
９    建築基礎部
９１  拡張基礎部
１０  躯体
１１  先端部材
１１１  固定ＯＡフロア
１０１  揺動ＯＡ用フロア
１０２  交叉部
１２  支持部
１３  土中
１４  商品陳列置棚
１５  ベース
１６  自動販売機
１７  取付け部
【図１】
2010002047.tif 000003
【図２】
2010002047.tif 000004
【図３】
2010002047.tif 000005
【図４】
2010002047.tif 000006
【図５】
2010002047.tif 000007
【図６】
2010002047.tif 000008
【図７】
2010002047.tif 000009
【図８】
2010002047.tif 000010
【図９】
2010002047.tif 000011
【図１０】
2010002047.tif 000012
【図１１】
2010002047.tif 000013
【図１２】
2010002047.tif 000014
【図１３】
2010002047.tif 000015
【図１４】
2010002047.tif 000016